(57)【要約】  低い誘電率と高い接着力との双方の性能を高いレベルで両立し、かつ耐衝撃性を高めることができる粘着剤組成物を提供する。  本発明に係る粘着剤組成物は、窒素原子を有しかつ環状骨格を有する窒素含有環状化合物と、炭素数１０〜２０の分岐アルキル基を有する（メタ）アクリレート化合物と、ラジカル重合性の不飽和二重結合を有するオレフィン化合物とを共重合させることで得られる共重合体を含む。【特許請求の範囲】
【請求項１】
窒素原子を有しかつ環状骨格を有する窒素含有環状化合物と、炭素数１０〜２０の分岐アルキル基を有する（メタ）アクリレート化合物と、ラジカル重合性の不飽和二重結合を有するオレフィン化合物とを共重合させることで得られる共重合体を含む、粘着剤組成物。
【請求項２】
前記共重合体が、前記窒素含有環状化合物１００重量部と、前記（メタ）アクリレート化合物１重量部以上、１５０重量部以下と、前記オレフィン化合物１６重量部以上、８００重量部以下とを共重合させることで得られる、請求項１に記載の粘着剤組成物。
【請求項３】
前記窒素含有環状化合物がビニルピロリドン又はアクリロイルモルホリンである、請求項１又は２に記載の粘着剤組成物。
【請求項４】
光学用粘着テープを得るために用いられる、請求項１又は２に記載の粘着剤組成物。
【請求項５】
光学用粘着テープを得るために用いられる、請求項３に記載の粘着剤組成物。
【請求項６】
請求項１〜５のいずれか１項に記載の粘着剤組成物を用いて得られる、光学用粘着テープ。
【発明の詳細な説明】
【技術分野】
【０００１】
本発明は、低い誘電率を有し、かつ高い接着力と高い耐衝撃性とを有する粘着剤組成物に関する。また、本発明は、上記粘着剤組成物を用いた光学用粘着テープに関する。
【背景技術】
【０００２】
近年、タッチパネルを搭載した電子機器の使用が増加している。例えば、携帯電話、スマートフォン、カーナビゲーション及びパーソナルコンピューター等の電子機器においては、タッチパネルが用いられている。タッチパネルの中でも、静電容量式のタッチパネルは、機能性に優れることから、急速に普及してきている。静電容量式のタッチパネルは、スマートフォンだけでなく、タブレット型パーソナルコンピューター等でも広く用いられている。【０００３】
一般に、静電容量式のタッチパネルは、カバーパネルと、光学用粘着剤層と、導電層と、ポリエチレンテレフタレート（ＰＥＴ）フィルム又はガラス等の基材とが積層されて構成されている。上記光学用粘着剤層には、透明性、並びに基材に対する接着力の各性能に優れていることが求められる。また、近年、静電容量式のタッチパネルの大型化が進んでいる。タッチパネルの大型化に伴って、上記光学用粘着剤層では、上述した各性能に加えて、誘電率を低くすることも求められている。【０００４】
また、透明性が高くなることから、上記光学用粘着剤層には、アクリル系粘着剤が用いられることが多い。【０００５】
上記光学用粘着剤層を得るために用いられるアクリル系粘着剤の一例として、下記の特許文献１には、炭素数１０〜２４の分岐アルキル基をエステル基の末端に有するアルキル（メタ）アクリレートを１９〜９９．５重量％含むモノマー成分を用いて、該モノマー成分を重合させて得られた（メタ）アクリル系ポリマーを含む粘着剤が開示されている。特許文献１では、上記粘着剤の使用により、低い誘電率の粘着剤層を実現することができ、かつ、接着性能を満足できることが記載されている。【０００６】
下記の特許文献２には、環状構造含有モノマー２５〜９９．５重量％、及びエステル末端に炭素数３〜１８の分岐アルキル基を有する分岐構造含有（メタ）アクリル系モノマー０．５〜７０重量％を含むモノマー成分を用いて、該モノマー成分を重合させて得られた（メタ）アクリル系ポリマーを含む粘着剤組成物が開示されている。特許文献２では、上記粘着剤組成物の使用により、優れた低い誘電率を有し、接着性能及び透明性をも満足する粘着剤層を実現できることが記載されている。【０００７】
下記の特許文献３には、炭素数６〜１０の直鎖又は分岐鎖状のアルキル基を有するアクリル酸アルキルエステル、炭素数１〜１０の直鎖又は分岐鎖状のアルキル基を有するメタアクリル酸アルキルエステル、脂環式炭化水素基を有する（メタ）アクリル酸エステル及び窒素含有モノマーからなる群より選ばれる１以上のモノマー成分から構成されたアクリル系ポリマーを含む光学用粘着シート（アクリル系粘着剤層）が開示されている。特許文献３では、上記光学用粘着シートにおいて、誘電率が低くなり、かつ加湿によって白濁化しなくなることが記載されている。
【先行技術文献】
【特許文献】
【０００８】
【特許文献１】特開２０１２−２４６４７７号公報
【特許文献２】ＷＯ２０１３／００２１８４Ａ１
【特許文献３】特開２０１２−１７３３５４号公報
【発明の概要】
【発明が解決しようとする課題】
【０００９】
特許文献１に記載の粘着剤を用いた粘着剤層では、ガラスに対する９０度ピール接着力が０．５Ｎ／２０ｍｍ以上であることが記載されている。しかし、この接着力のレベルでは、不十分である。従って、特許文献１では、低い誘電率とカバーガラスに対する高い接着力との双方の性能を高いレベルで両立することができない。【００１０】
特許文献２に記載の粘着剤組成物を用いた粘着剤層でも、低い誘電率と高い接着力との双方の性能を高いレベルで両立することは困難である。例えば、特許文献２に記載の実施例の粘着剤組成物では、低誘電率化はある程度達成できるものの、接着力が充分に高くならない。【００１１】
特許文献３に記載の光学用粘着シートでも、低い誘電率と高い接着力との双方の性能を高いレベルで両立することは困難である。例えば、特許文献３の実施例に記載の光学用粘着シートでは、接着力はある程度発現するものの、誘電率が充分に低くならない。【００１２】
また、近年、タッチパネルの普及に伴い、タッチパネルの高性能化がより一層求められている。タッチパネルの構成部材である光学用粘着剤層では、低い誘電率とカバーガラスに対する高い接着力との双方の性能を高いレベルで両立することが強く求められている。【００１３】
しかしながら、従来の光学用粘着剤層では、誘電率が充分に低くなるように粘着剤の組成を設計すると、接着力を充分に高くすることが困難であり、逆に、接着力が充分に高くなるように粘着剤の組成を設計すると、誘電率が充分に低くならないという問題がある。【００１４】
さらに、従来の光学用粘着剤層を用いた積層体では、耐衝撃性が低く、剥離が生じやすいという問題もある。【００１５】
本発明の目的は、低い誘電率と高い接着力との双方の性能を高いレベルで両立し、かつ耐衝撃性を高めることができる粘着剤組成物を提供すること、並びに該粘着剤組成物を用いた光学用粘着テープを提供することである。
【課題を解決するための手段】
【００１６】
本発明の広い局面によれば、窒素原子を有しかつ環状骨格を有する窒素含有環状化合物と、炭素数１０〜２０の分岐アルキル基を有する（メタ）アクリレート化合物と、ラジカル重合性の不飽和二重結合を有するオレフィン化合物とを共重合させることで得られる共重合体を含む、粘着剤組成物が提供される。【００１７】
本発明に係る粘着剤組成物のある特定の局面では、前記共重合体が、前記窒素含有環状化合物１００重量部と、前記（メタ）アクリレート化合物１重量部以上、１５０重量部以下と、前記オレフィン化合物１６重量部以上、８００重量部以下とを共重合させることで得られる。【００１８】
本発明に係る粘着剤組成物のある特定の局面では、前記窒素含有環状化合物がビニルピロリドン又はアクリロイルモルホリンである。【００１９】
本発明に係る粘着剤組成物は、光学用粘着テープを得るために好適に用いられる。【００２０】
本発明の広い局面によれば、上述した粘着剤組成物を用いて得られる、光学用粘着テープが提供される。
【発明の効果】
【００２１】
本発明に係る粘着剤組成物は、窒素原子を有しかつ環状骨格を有する窒素含有環状化合物と、炭素数１０〜２０の分岐アルキル基を有する（メタ）アクリレート化合物と、ラジカル重合性の不飽和二重結合を有するオレフィン化合物とを共重合させることで得られる共重合体を含むので、低い誘電率と高い接着力との双方の性能を高いレベルで両立することができ、かつ高い耐衝撃性を有することができる。
【発明を実施するための形態】
【００２２】
以下、本発明の詳細を説明する。
【００２３】
（粘着剤組成物）
本発明に係る粘着剤組成物は、窒素含有環状化合物と、（メタ）アクリレート化合物と、オレフィン化合物とを共重合させることで得られる共重合体を含む。上記窒素含有環状化合物は、窒素原子を有し、かつ環状骨格を有する。上記（メタ）アクリレート化合物は、分岐アルキル基（分岐しているアルキル基）を有し、かつ上記分岐アルキル基の炭素数が１０〜２０である。上記オレフィン化合物は、ラジカル重合性の不飽和二重結合を有する。本発明に係る粘着剤組成物では、該粘着剤組成物に含まれる共重合体を得るために、共重合成分として、上記窒素含有環状化合物と、上記（メタ）アクリレート化合物と、上記オレフィン化合物とが用いられている。
【００２４】
本発明に係る粘着剤組成物は、上述した構成を備えているので、低い誘電率と高い接着力との双方の性能を高いレベルで両立することができ、かつ高い耐衝撃性を有することができる。すなわち、本発明に係る粘着剤組成物を用いた粘着テープは、低い誘電率と高い接着力との双方の性能を高いレベルで発現することから、光学用途に好適に用いることができる。特に、上記粘着テープは、カバーガラスなどのカバーパネルに対して、充分に高い接着力で接着させることができるので、タッチパネルに好適に用いることができる。
【００２５】
さらに、本発明に係る粘着剤組成物は、上述した構成を備えているので、耐衝撃性を高めることもでき、本発明に係る粘着剤組成物を用いた粘着テープを接着対象物に接着したときに、剥離が生じ難くなる。
【００２６】
窒素含有環状化合物：
上記窒素含有環状化合物は、上記（メタ）アクリレート化合物と共重合可能であり、更に上記オレフィン化合物と共重合可能である。上記窒素含有環状化合物は、モノマーであることが好ましい。上記窒素含有環状化合物は、１種のみが用いられてもよく、２種以上が併用されてもよい。
【００２７】
低い誘電率と高い接着力とをより一層高いレベルで両立する観点からは、上記窒素含有環状化合物は、窒素原子を含む複素環式骨格を有することが好ましく、環状骨格内に窒素を含む複素環式化合物であることが好ましい。
【００２８】
上記窒素含有環状化合物としては、例えば、アクリロイルモルホリン、ペンタメチルピペリジニルメタクリレート、テトラメチルピペリジニルメタクリレート及びビニルピロリドン等が挙げられる。低い誘電率と高い接着力とをより一層高いレベルで両立する観点からは、上記窒素含有環状化合物は、ビニルピロリドン又はアクリロイルモルホリンであることが好ましく、ビニルピロリドンであることがより好ましい。
【００２９】
（メタ）アクリレート化合物：
上記（メタ）アクリレート化合物は、上記窒素含有環状化合物と共重合可能であり、更に上記オレフィン化合物と共重合可能である。上記（メタ）アクリレート化合物は、モノマーであることが好ましい。上記「（メタ）アクリレート」は、アクリレートとメタクリレートとを意味する。上記（メタ）アクリレート化合物は、１種のみが用いられてもよく、２種以上が併用されてもよい。
【００３０】
上記（メタ）アクリレートとしては、例えば、イソデシル（メタ）アクリレート、イソミスチリル（メタ）アクリレート、イソドデシル（メタ）アクリレート、イソステアリル（メタ）アクリレート及びイソペンタデシル（メタ）アクリレート等が挙げられる。
【００３１】
上記共重合体を得るために、上記窒素含有環状化合物１００重量部に対して、上記（メタ）アクリレート化合物の使用量は、０重量部を超え、より好ましくは１重量部以上、好ましくは１５０重量部以下である。上記（メタ）アクリレート化合物の含有量が上記下限以上及び上記上限以下であると、低い誘電率と高い接着力とをより一層高いレベルで両立することができ、耐衝撃性がより一層高くなり、更に上記窒素含有環状化合物と上記オレフィン化合物との相溶性も高くなる。上記（メタ）アクリレート化合物の使用量が上記上限以下であると、接着力を高める効果がより一層発現する。
【００３２】
オレフィン化合物：
上記オレフィン化合物は、上記窒素含有環状化合物と共重合可能であり、更に上記（メタ）アクリレート化合物と共重合可能である。なお、本明細書において、ラジカル重合性の不飽和二重結合を有するオレフィン化合物には、炭素数１０〜２０の分岐アルキル基を有する（メタ）アクリレート化合物は含まれないこととする。上記オレフィン化合物は、１種のみが用いられてもよく、２種以上が併用されてもよい。
【００３３】
上記ラジカル重合性の不飽和二重結合としては、ビニル基、（メタ）アクリロイル基及びアリル基等が挙げられる。上記ラジカル重合性の不飽和二重結合は、ビニル基、（メタ）アクリロイル基又はアリル基であることが好ましい。上記オレフィン化合物は、（メタ）アクリロイル基ではないラジカル重合性の不飽和二重結合（ラジカル重合性の不飽和二重結合含有基）を有していてもよい。
【００３４】
上記オレフィン化合物は、上記ラジカル重合性の不飽和二重結合とオレフィン骨格との繰り返し構造単位を有する化合物であってもよく、ポリマーであってもよい。
【００３５】
上記ラジカル重合性の不飽和二重結合とオレフィン骨格との繰り返し構造単位におけるオレフィン骨格としては、片末端がメタクリルである水素添加ポリブタジエン等が挙げられる。
【００３６】
上記オレフィン化合物の市販品としては、クラプレンＵＣ−２０３（クラレ社製）、クラプレンＬ−１２５３（クラレ社製）、及びＮＩＳＳＯ−ＰＢ  Ｂ−３０００（日本曹達社製）等が挙げられる。
【００３７】
上記共重合体を得るために、上記窒素含有環状化合物１００重量部に対して、上記オレフィン化合物の使用量は好ましくは１６重量部以上、好ましくは８００重量部以下である。上記オレフィン化合物の使用量が上記下限以上及び上記上限以下であると、低い誘電率と高い接着力とをより一層高いレベルで両立することができ、更に耐衝撃性をより一層高めることができる。
【００３８】
粘着剤組成物の他の詳細：
上記共重合体は、上記窒素含有環状化合物１００重量部と、上記（メタ）アクリレート化合物１重量部以上、１５０重量部以下と、上記オレフィン化合物１６重量部以上、８００重量部以下とを共重合させることで得られることが好ましい。このような好ましい関係で各成分を用いると、極性が比較的高い上記窒素含有環状化合物に由来する部分と、極性が比較的低い上記オレフィン化合物に由来する部分とが、細かく相分離する。このため、上記粘着剤組成物を用いた粘着テープにおいて、透明性をより一層高めることができ、上記粘着テープを光学用途に好適に使用することが可能になり、上記粘着テープを光学用粘着テープとして好適に用いることが可能になる。また低い誘電率と高い接着力とをより一層高いレベルで両立することができる。さらに、上記光学用粘着テープをタッチパネルなどの光学用積層体に用いた場合に、相分離効果により落下したときの衝撃を吸収することができ、高い耐衝撃性を発現することも可能になる。
【００３９】
なお、細かく相分離しているか否かは、上記粘着テープ（粘着剤層又は粘着剤層部分）をオスミウム染色し、透過型電子顕微鏡で観察した場合に、１ｎｍ〜１μｍサイズで相分離しているか否かにより判別できる。このようなサイズで、上記粘着テープにおいて、上記窒素含有環状化合物に由来する部分と、上記オレフィン化合物に由来する部分とが相分離していることが好ましい。
【００４０】
上記共重合体を得るために、共重合成分として、炭素数１〜１０のアルキル基を有する（メタ）アクリレート化合物、カルボキシル基含有モノマー、ヒドロキシル基含有モノマー及び環状エーテル基を有するモノマー等を用いてもよい。これらの成分は、１種のみが用いられてもよく、２種以上が併用されてもよい。
【００４１】
上記炭素数１〜１０のアルキル基を有する（メタ）アクリレート化合物としては、例えば、メチル（メタ）アクリレート、エチル（メタ）アクリレート、ブチル（メタ）アクリレート、イソボルニル（メタ）アクリレート及びシクロヘキシル（メタ）アクリレート等が挙げられる。
【００４２】
上記カルボキシル基含有モノマーとしては、例えば、（メタ）アクリル酸、カルボキシエチル（メタ）アクリル酸、イタコン酸、マレイン酸及びフマル酸等が挙げられる。
【００４３】
上記ヒドロキシル基含有モノマーとしては、例えば、２−ヒドロキシエチル（メタ）アクリレート、４−ヒドロキシブチル（メタ）アクリレート、３−ヒドロキシプロピル（メタ）アクリレート、６−ヒドロキシヘキシル（メタ）アクリレート、アリルアルコール及びジエチレングリコール基を有する（メタ）アクリレート等が挙げられる。
【００４４】
上記カルボキシル基含有モノマー及び上記ヒドロキシル基含有モノマーを用いると、誘電率が高くなる傾向がある。従って、上記共重合体を得るための共重合成分１００重量％中、上記カルボキシル基含有モノマーの使用量は１０重量％以下であることが好ましく、上記ヒドロキシル基含有モノマーの使用量は１０重量％以下であることが好ましい。
【００４５】
上記共重合体を得るための共重合成分１００重量％（共重合可能な成分の合計１００重量％）中、上記窒素含有環状化合物と、上記（メタ）アクリレート化合物と、上記オレフィン化合物との合計の使用量（含有量）は、好ましくは３０重量％以上、より好ましくは３５重量％以上、１００重量％（全量）以下である。上記共重合成分１００重量％中、上記窒素含有環状化合物と、上記（メタ）アクリレート化合物と、上記オレフィン化合物との合計の使用量は８５重量％以下であってもよく、７５重量％以下であってもよい。
【００４６】
上記粘着剤組成物の製造方法として、溶液重合、ＵＶ重合、塊状重合及び乳化重合等の公知の製造方法を適宜選択できる。中でも、相分離サイズを良好に制御しやすいことから、上記溶液重合又は上記ＵＶ重合が好ましい。
【００４７】
上記溶液重合で使用可能な溶媒としては、例えば、酢酸エチル、トルエン、テトラヒドロフラン及びメチルエチルケトン等が挙げられる。上記溶媒は、１種のみが用いられてもよく、２種以上が併用されてもよい。
【００４８】
上記共重合体を得るために、重合開始剤を用いることができる。該重合開始剤は特に限定されず、適宜選択して用いることができる。上記重合開始剤は、熱重合開始剤であってもよく、光重合開始剤であってもよい。上記重合開始剤は、１種のみが用いられてもよく、２種以上が併用されてもよい。
【００４９】
上記溶液重合で使用可能な熱重合開始剤としては、アゾ化合物（アゾ系重合開始剤）、過酸化物（過酸化物系重合開始剤）、及び過酸化物と還元剤とが組み合わされたレドックス系開始剤等が挙げられる。
【００５０】
上記アゾ化合物としては、例えば、アゾビスイソブチロニトリル、アゾビスメチルブチロニトリル及びアソビス（２−メチルプロピオン酸）ジメチル等が挙げられる。上記過酸化物としては、有機過酸化物が挙げられ、具体的には、ジベンゾイルペルオキシド、ジイソブチルペルオキド、ヘキシルペルオキシピバレート、ジ（３，５，５−トリメチルヘキサノイル）ペルオキシド、ジラウロイルペルオキシド、テトラメチルブチルペルオキシエチルヘキサノエート及びヘキシルペルオキシエチルヘキサノエート等が挙げられる。
【００５１】
上記ＵＶ重合で使用可能な光重合開始剤としては、例えば、ベンゾインエーテル系開始剤、アセトフェノン系開始剤、ベンゾイン系開始剤、ベンゾフェノン系開始剤、ケタール系開始剤及びスルホニルクロリド系開始剤等が挙げられる。
【００５２】
上記共重合体の重量平均分子量は好ましくは４０万以上、より好ましくは６０万以上、好ましくは２５０万以下、より好ましくは２００万以下である。上記重量平均分子量が上記下限以上及び上記上限以下であると、上記粘着テープの接着力がより一層高くなる。
【００５３】
上記重量平均分子量は、ゲルパーミエーションクロマトグラフィーにより測定されるポリスチレン換算での重量平均分子量を示す。
【００５４】
上記粘着剤組成物は、架橋剤を含むことが好ましい。上記架橋剤の使用により、接着時に、上記共重合体を更に架橋させて、より一層高い接着力を発現させることができる。なお、上記粘着剤組成物が架橋剤を含まない場合には、上記粘着剤組成物は、架橋剤が添加されて用いられてもよい。上記架橋剤は、１種のみが用いられてもよく、２種以上が併用されてもよい。
【００５５】
上記架橋剤としては、エポキシ系架橋剤、イソシアネート系架橋剤及びヒドラジド系架橋剤等が挙げられる。より一層高い接着力が発現することから、上記架橋剤は、エポキシ系架橋剤又はイソシアネート系架橋剤であることが好ましい。
【００５６】
上記エポキシ系架橋剤は、例えば、エポキシ基を２つ以上有する化合物である。上記エポキシ系架橋剤としては、例えば、ビスフェノールＡ、ジグリシジルアニリン、ジアミングリシジルアミン、エチレングリコールジグリシジルエーテル、アジピン酸ジグリシジルエステル及びテトラッドＸ（三菱ガス化学社製）等が挙げられる。上記エポキシ系架橋剤は、１種のみが用いられてもよく、２種以上が併用されてもよい。
【００５７】
上記イソシアネート系架橋剤は、例えば、イソシアネート基又はイソシアネート基を一次的に保護したブロック化イソシアネートを２つ以上有する化合物である。上記イソシアネート系架橋剤としては、例えば、シクロヘキシレンジイソシアネート、イソホロンジイソシアネート、トリレンジイソシアネート、ヘキサメチレンジイソシアネート及びジフェニルメタンジイソシアネート等が挙げられる。上記イソシアネート系架橋剤の市販品としては、コロネートＬ（日本ポリウレタン社製）、コロネートＨＬ（日本ポリウレタン社製）、コロネートＨＸ（日本ポリウレタン社製）及びマイテックＮＹ２６０Ａ（三菱化学社製）等が挙げられる。上記イソシアネート系架橋剤は、１種のみが用いられてもよく、２種以上が併用されてもよい。
【００５８】
上記架橋剤の使用量は適宜調整でき、特に限定されない。上記共重合体１００重量部に対して、上記架橋剤の使用量（含有量）は、好ましくは１重量部以上、好ましくは５重量部以下である。上記架橋剤の使用量が上記下限以上及び上記上限以下であると、凝集力と接着力とがより一層良好に発現する。
【００５９】
上記粘着剤組成物は、その他の公知の添加剤を含んでいてもよい。上記粘着剤組成物は、例えば、シランカップリング剤、粘着性付与剤、レベリング剤、酸化防止剤、光安定化剤、紫外線吸収剤及び重合禁止剤等を必要に応じて適宜含んでいてもよい。
【００６０】
上記粘着剤組成物を用いて、粘着剤層を形成することができる。この粘着剤層は単独で、又は支持体上に積層された状態で、粘着テープとして用いることができる。上記粘着剤層のゲル分率は好ましくは４０重量％以上、より好ましくは５０重量％以上、好ましくは９９重量％以下、より好ましくは９８重量％以下である。上記ゲル分率が上記下限以上及び上記上限以下であると、凝集力と接着力とがより一層良好に発現する。
【００６１】
上記粘着剤組成物を支持体に塗工し、乾燥することにより粘着剤層及び粘着テープを形成することができる。上記粘着剤組成物の塗工方法としては、従来公知の方法を用いることができる。上記塗工方法としては、例えば、ロールコーター、グラビアコーター、リバースコーター、リップコーター、カーテンコーター及びスリットダイコーター等を用いる方法が挙げられる。上記溶液重合を行う場合には、塗工時に乾燥して溶媒を除去することができる。上記ＵＶ重合を行う場合には、ＵＶ照射時に重合させることもできる。
【００６２】
上記支持体としては、例えば、ポリエチレンフィルム、ポリプロピレンフィルム、ポリエチレンテレフタレートフィルム及びポリエステルフィルム等のプラスチックフィルム、紙、発泡シート、金属箔、酸化金属フィルム、並びにこれらのラミネート体等が挙げられる。上記支持体の表面は、剥離性を高めるために、離型処理されていてもよい。
【００６３】
上記粘着剤組成物は、光学用粘着テープを得るために好適に用いられる。該光学用粘着テープは、上記粘着剤組成物を用いて得ることができる。
【００６４】
上記粘着剤層及び上記粘着テープの用途は、特に限定されない。上記粘着剤層及び上記粘着テープは光学用途に好適に用いることができ、光学用積層体を得るためにより好適に用いることができる。上記粘着テープは、光学用粘着テープであることが好ましい。
【００６５】
上記粘着剤層及び上記粘着テープは、カバーガラスに接着される用途に好適に用いることができ、タッチパネルに特に好適に用いることができる。上記粘着剤層及び上記粘着テープは、携帯電話、スマートフォン、パソコン、電子ペーパー、タブレット型パーソナルコンピューター及びゲーム機等の画像表示装置を製造する際に、表面を保護するためのカバーパネル（ガラス板、もしくはポリメタクリル酸メチル板等）とタッチパネルモジュールとを接着したり、カバーパネルとディスプレイパネルモジュールとを接着したり、タッチパネルモジュールとディスプレイパネルモジュールとを接着したりする用途に好適に用いることができる。
【００６６】
以下、本発明について、実施例及び比較例を挙げて具体的に説明する。本発明は、以下の実施例のみに限定されない。
【００６７】
（実施例１）
（１）共重合体の製造
温度計、攪拌機及び冷却管を備えた反応器を用意した。この反応器内に、ビニルピロリドン１０重量部、イソステアリルアクリレート１５重量部、クラプレンＬ−１２５３（クラレ社製）２０重量部、２−エチルヘキシルアクリレート３９．５重量部、イソボルニルアクリレート１４重量部、ｎ−ブチルアクリレート１重量部及びアクリル酸０．５重量部と、これらモノマー（共重合成分）の合計１００重量部に対してトルエン９０重量部とを加え、窒素ガスを３０分間吹き込んで窒素置換した。その後、反応器内を７０℃に加熱した。３０分加熱した後、重合開始剤であるｔ−ヘキシルパーオキシピバレート０．１２重量部をトルエン１０重量部で希釈した重合開始剤溶液を、上記反応器内に５時間かけて滴下添加した（モノマー１００重量部に対する重合開始剤の使用量は０．１２重量部）。重合開始剤の添加開始から８時間、７０℃で反応させて、共重合体固形分が５０重量％である共重合体溶液を得た。
【００６８】
（２）光学用粘着テープの製造
得られた共重合体溶液に、共重合体固形分１００重量部に対して、架橋剤であるテトラッドＸ（三菱ガス化学社製）を固形分換算で０．２重量部、マイテックＮＹ２６０Ａ（三菱化学社製）を固形分換算で２重量部、シランカップリング剤であるＫＢＭ−４０３（信越化学工業社製）を固形分換算で０．５重量部となるように添加し、攪拌して、粘着剤組成物を調製した。
【００６９】
得られた粘着剤組成物を、離型ポリエチレンテレフタレート（ＰＥＴ）フィルムの離型処理面上に塗工し、１００℃で１０分間乾燥することによりトルエンを除去して、厚み１００μｍの粘着剤層を形成した。
【００７０】
さらに、得られた粘着剤層の上に、新たに用意した離型ＰＥＴフィルムを、離型処理面に粘着剤層が接するように重ね合わせて、積層体を得た。得られた積層体をゴムローラーにより加圧することにより、粘着剤層の両面に離型ＰＥＴフィルムが貼り付けられた光学用粘着テープ（粘着剤層の厚み１００μｍ）を得た。
【００７１】
（実施例２〜５及び比較例１〜５）
共重合体を構成するモノマーの種類及び使用量を下記の表１のように変更したこと以外は実施例１と同様にして、共重合体溶液を得た。得られた共重合体溶液を用いたこと以外は実施例１と同様にして、粘着剤組成物及び光学用粘着テープを得た。
【００７２】
（評価）
得られた光学用粘着テープについて、下記の評価項目について、評価を行った。結果を下記の表１に示した。
【００７３】
（１）比誘電率の評価
得られた光学用粘着テープ（粘着剤層の厚み１００μｍ）を３０ｍｍ×３０ｍｍの平面形状を有するように裁断した。次に、粘着テープの一方の離型ＰＥＴフィルムを剥離し、銅箔（厚み５０μｍ）に貼り合わせた。更に、粘着テープの他方の離型ＰＥＴフィルムを剥離し、銅箔（厚み５０μｍ）に貼り合わせた。このようにして、粘着剤層の両面に銅箔を貼り付けた積層サンプルを得た。インピーダンスアナライザ（ＳＩ１２６０型、東陽テクニカ社製）を用いて、得られた積層サンプルを、円形電極の間に挟み込んだ。この状態で、ＪＩＳ  Ｋ６９１１に準じて、周波数１ＭＨｚでの比誘電率を測定した。比誘電率を下記の基準で判定した。
【００７４】
［比誘電率の判定基準］
○：比誘電率が３．０未満
△：比誘電率が３．０以上、３．５未満
×：比誘電率が３．５以上
【００７５】
（２）接着力の評価
得られた光学用粘着テープ（粘着剤層の厚み１００μｍ）を幅２５ｍｍ及び長さ１００ｍｍに裁断した。次に、粘着テープの一方の離型ＰＥＴフィルムを剥離し、ポリエチレンテレフタレート（ＰＥＴ）フィルム（厚み２５μｍ）に貼り付けた。さらに、室温２３℃及び湿度５０％の恒温室中で、粘着テープの他方の離型ＰＥＴフィルムを剥離して、カバーガラス（強化処理済アルカリガラス、コーニング社製ゴリラガラス）に２ｋｇのゴムローラーで１往復させて貼り合わせて、３０分間放置して、評価サンプルを得た。次に、得られた評価サンプルについて、光学用粘着テープにおける粘着剤層のカバーガラスに対する剥離接着力（接着力）を、剥離角度１８０度及び剥離速度３００ｍｍ／分の条件で測定した。接着力を下記の基準で判定した。
【００７６】
［接着力の判定基準］
○：接着力が１０Ｎ／２５ｍｍ以上
×：接着力が１０Ｎ／２５ｍｍ未満
【００７７】
（３）耐衝撃性
３５ｍｍ×５０ｍｍの大きさで中心がくり抜かれているポリカーボネート板（厚さ２ｍｍ）の上に、幅２ｍｍ、外周が４５ｍｍ×６０ｍｍの額縁形状にカットされた光学用粘着テープを２ｋｇローラーで貼り合わせた。次に、カバーガラス（強化処理済アルカリガラス、コーニング社製ゴリラガラス）を上から被せて貼り合わせた。その後、オートクレーブ０．４Ｍｐａ、室温で１時間処理を行い、評価サンプルを得た。次に、得られた評価サンプルをカバーガラスが下側になるように置き、穴の部分に上から重さ２００ｇの錘を落下させ、カバーガラスがポリカーボネート板から剥がれた際の高さを測定した。耐衝撃性を下記の基準で判定した。
【００７８】
［耐衝撃性の判定基準］
○：剥がれるまでの落球高さが１０ｃｍ以上
×：剥がれるまでの落球高さが１０ｃｍ未満
【００７９】
【表１】
2014162968.tif 000002
【国際調査報告】
2014162968.tif 000003
2014162968.tif 000004
2014162968.tif 000005
2014162968.tif 000006